(57)【要約】【課題】  非接触型ＩＣカード機能を搭載し、ＳＩＭカードなどの加入者情報カードを挿入すて利用可能な携帯端末において、任意の第三者が非接触型ＩＣカード機能を使用できないようにする。【解決手段】  非接触型ＩＣカード機能部を備え、加入者情報カードを挿入して利用可能な携帯端末において、非接触型ＩＣカード機能の使用を許可された加入者番号が登録される非接触型ＩＣカード使用許可リストを予め作成しておき、加入者情報カードに記録された加入者番号と非接触型ＩＣカード使用許可リストを比較して該当する加入者番号の有無を判定し、該当する加入者番号が無い場合、非接触型ＩＣカード機能部のみ機能を停止する構成とする。【選択図】        図３
2006319438.tif 000002
【特許請求の範囲】
【請求項１】
非接触型ＩＣカード機能部を備え、加入者情報カードを挿入して利用可能な携帯端末において、
非接触型ＩＣカード機能の使用を許可された加入者番号が登録されている非接触型ＩＣカード使用許可リストを記録する記憶部と、
前記加入者情報カードに記録された加入者番号と前記記憶部に記録された非接触型ＩＣカード使用許可リストを比較して、該当する加入者番号の有無を判定し、その判定結果に基づき前記非接触型ＩＣカード機能の使用許可又は使用不許可を判断する制御部とを備え、
前記該当する加入者番号が無い場合、前記非接触型ＩＣカード機能部のみ機能を停止する
ことを特徴とする携帯端末。
【請求項２】
前記制御部は、前記携帯端末の電源を投入時に前記加入者情報カードの加入者番号を読み込み、読み込んだ加入者番号と前記記憶部に記録されている非接触型ＩＣカード使用許可リストを比較する
ことを特徴とする請求項１に記載の携帯端末。
【請求項３】
前記制御部の電源が断のとき、前記非接触型ＩＣカード機能部が前記制御部の電源を入とし、電源投入後の前記制御部は、前記加入者情報カードの加入者番号を読み込み、読み込んだ加入者番号と前記記憶部に記録されている非接触型ＩＣカード使用許可リストを比較する
ことを特徴とする請求項１に記載の携帯端末。
【請求項４】
前記制御部の電源が断のとき、前記非接触型ＩＣカード機能部が前記加入者情報カードの加入者番号を読み込み、読み込んだ加入者番号と前記記憶部に記録されている非接触型ＩＣカード使用許可リストを比較して、該当する加入者番号の有無を判定し、その判定結果に基づき前記非接触型ＩＣカード機能の使用許可又は使用不許可を判断する
ことを特徴とする請求項１に記載の携帯端末。
【請求項５】
前記非接触型ＩＣカード機能部の機能を停止後、暗証情報を入力することにより前記非接触型ＩＣカード機能部の機能停止を解除する
ことを特徴とする請求項１に記載の携帯端末。
【請求項６】
非接触型ＩＣカード機能部を備え、加入者情報カードを挿入して利用可能な携帯端末における機能制限方法であって、
非接触型ＩＣカード機能の使用を許可された加入者番号が登録される非接触型ＩＣカード使用許可リストを予め作成しておき、
前記加入者情報カードに記録された加入者番号と前記非接触型ＩＣカード使用許可リストを比較して該当する加入者番号の有無を判定し、
前記該当する加入者番号が無い場合、前記非接触型ＩＣカード機能部のみ機能を停止する
ことを特徴とする機能制限方法。
【発明の詳細な説明】
【技術分野】
【０００１】
本発明は、携帯端末及び機能制限方法に関し、特に非接触型ＩＣ（Integrated Circuit）カード機能部が搭載された携帯電話端末等に適用して好適な携帯端末及びその非接触型ＩＣカード機能の使用を制限する方法に関する。
【背景技術】
【０００２】
従来、ＧＳＭ（Global Systems for Mobile communications）／ＵＭＴＳ（Universal Mobile Telecommunications System）端末のようなＳＩＭ（Subscriber Identity Module）カードを必要とする携帯電話端末の場合、第三者の加入者番号が入ったＳＩＭカードを携帯電話端末に挿入することによって、第三者の携帯電話端末として使用することができる。このＳＩＭカードは、携帯電話会社が発行する、契約者情報を記録したＩＣカードである。
【０００３】
このＳＩＭカードを利用して、例えば電話番号の異なる複数の携帯電話端末との使い分けを可能にした自動車電話装置が開示されている（例えば、特許文献１参照。）。
【特許文献１】特開２００４−１９３６４１号公報
【発明の開示】
【発明が解決しようとする課題】
【０００４】
ところで、ＧＳＭ／ＵＭＴＳ端末にFelica（登録商標）などの非接触型ＩＣカード機能を搭載した場合、第三者の加入者情報を元にした電話機能を使用することができる。しかし、この場合、第三者は、携帯電話端末所有者が使用している非接触型ＩＣカードアプリケーションを利用できてしまうという問題があった。
例えば、携帯電話端末所有者が、非接触型ＩＣカード機能を搭載した携帯電話端末を第三者に貸した場合、第三者は携帯電話端末所有者の非接触型ＩＣカードアプリケーションを勝手に使用できてしまう。
【０００５】
本発明は斯かる点に鑑みてなされたものであり、非接触型ＩＣカード機能を搭載し、ＳＩＭカードなどの加入者情報カードを挿入することで利用可能な携帯端末において、任意の第三者が非接触型ＩＣカード機能を使用できないようにすることを目的とする。
【課題を解決するための手段】
【０００６】
上記課題を解決するため、本発明は、非接触型ＩＣカード機能部を備え、加入者情報カードを挿入して利用可能な携帯端末において、非接触型ＩＣカード機能の使用を許可された加入者番号が登録される非接触型ＩＣカード使用許可リストを予め作成しておき、加入者情報カードに記録された加入者番号と非接触型ＩＣカード使用許可リストを比較して該当する加入者番号の有無を判定し、該当する加入者番号が無い場合、非接触型ＩＣカード機能部のみ機能を停止する構成とする。
【０００７】
上述の構成によれば、携帯端末所有者の加入者情報カードと異なる第三者の加入者情報カードを挿入したときに、第三者の加入者番号が非接触型ＩＣカード使用許可リストに登録されていない場合は、この第三者は携帯端末所有者が使用している非接触型ＩＣカード機能の使用が許可されない。
【発明の効果】
【０００８】
本発明によれば、非接触型ＩＣカード機能を搭載し、加入者情報カードを挿入して利用可能な携帯端末において、非接触型ＩＣカード使用許可リストに登録されていない加入者番号を持つ第三者は、携帯端末所有者が使用している非接触型ＩＣカード機能を利用できないので、セキュリティが向上するという効果がある。
【発明を実施するための最良の形態】
【０００９】
以下本発明を実施するための最良の形態の例を説明するが、本発明は以下の例に限定されるものではない。
【００１０】
まず、本発明による非接触型ＩＣカード機能を搭載した携帯端末を適用して好適な携帯電話端末の一例について、図１及び図２を参照して説明する。
図１は、本発明の一実施の形態例に係る携帯電話端末の回路構成を示すブロック図である。図１において、携帯電話端末１００は、周知の移動体通信を行なう携帯電話端末と同様、図示しない基地局を経由して携帯電話公衆網１１０との無線通信を行なうためのアンテナ，ＲＦ回路及び変復調器等からなる送受信制御部１０１と、受信した音声信号を出力するスピーカや送信する音声信号を入力するマイクロホンを含む音声入出力部１０２と、記憶手段としての機能を持つ不揮発性の記憶部１０３と、発信・着信・電話番号入力などを行なうための操作キーや表示手段として用いられる画像表示装置を含むユーザインタフェース部１０４と、それらを制御する制御手段としての機能を持つ携帯電話制御部１０５を備える。
【００１１】
また、携帯電話端末１００には、リーダ・ライタと非接触で通信を行い電子決済や個人認証などを行なう例えばFelica等の非接触型ＩＣカード機能部１０６と、加入者情報が記録されているＳＩＭカードなどの加入者情報カード１２０とのインタフェースに用いる加入者情報カードインタフェース（以下、「加入者情報カードＩ／Ｆ」と称する。）１０７を備える。本例の携帯電話端末１００に加入者情報カード１２０を挿入すると、非接触型ＩＣカード機能に係るアプリケーションソフトウェア（以下、「アプリケーション」と称する。）以外は、あらゆる機能を制限なしに使用できる。
なお、この非接触型ＩＣカード機能部１０６は、機器内蔵型の構造でもよいし、着脱可能なカード型の構造であってもよい。
【００１２】
図２は、本発明の一実施の形態例に係る加入者情報カードの回路構成を示すブロック図である。加入者情報カード１２０は加入者情報が記録されたＩＣカードであり、携帯電話端末１００との着脱が可能で、かつ複数の携帯電話端末との着脱も可能な構成となっている。この加入者情報カード１２０は、携帯電話端末１００とのインタフェースに用いる入出力部１２１と、記憶手段としての機能を持つ不揮発性の記憶部１２２と、それらを制御する制御手段としての機能を持つ制御部１２３を備える。
本例において、上記記憶部１２２には、特定の携帯電話会社のサービス加入者に割り当てられた例えばＩＭＳＩ（International Mobile Subscriber Identity）等の加入者番号が格納されている。また、携帯電話端末１００内の記憶部１０３には、非接触型ＩＣカード機能の使用が許可された加入者番号のリスト（非接触型ＩＣカード使用許可リスト）が格納されている。
【００１３】
次に、上記構成の携帯電話端末１００による機能ロック動作について説明する。
図３は、本発明の一実施の形態例に係る機能ロック動作のシーケンス図である。図３において、携帯電話端末１００の電源投入後、携帯電話制御部１０５がオンする（ステップＳ１）。この時点では非接触型ＩＣカード機能部１０６は、非接触型ＩＣカードアプリケーションを起動させず、非接触型ＩＣカード使用許可／使用不許可の指示待ちの状態にする（ステップＳ２）。その後、携帯電話制御部１０５は、加入者情報カード１２０に対して加入者番号の読み込みを要求する（ステップＳ３）。加入者情報カード１２０が、加入者情報カードＩ／Ｆ１０７を介して携帯電話制御部１０５からの加入者番号読み込み要求信号を受け取ったとき、制御部１２３は記憶部１２２から加入者番号を読み出し（ステップＳ４）、携帯電話制御部１０５にその加入者番号を送信する。
【００１４】
加入者情報カードＩ／Ｆ１０７を介し加入者番号を受け取った携帯電話制御部１０５は、記憶部１０３より非接触型ＩＣカード使用許可リストを読み出す（ステップＳ５）。その後、携帯電話制御部１０５は、加入者情報カード１２０から受け取った加入者番号と非接触型ＩＣカード使用許可リストを比較し、非接触型ＩＣカード使用許可又は使用不許可を決定し（ステップＳ６）、その旨を非接触型ＩＣカード機能部１０６へ指示する。非接触型ＩＣカード機能部１０６は、その指示内容が、非接触型ＩＣカード使用許可又は使用不許可のいずれであるかを判断する（ステップＳ７）。
【００１５】
例えば、非接触型ＩＣカード使用許可リストに該当する加入者番号が登録されている場合、携帯電話制御部１０５は非接触型ＩＣカード機能部１０６に対して、非接触型ＩＣカード使用許可を指示する。それに対し、非接触型ＩＣカード機能部１０６は、非接触型ＩＣカードアプリケーションを起動設定する（ステップＳ８）。これにより、非接触型ＩＣカード機能部１０６が無線信号を送受信した際に、即座に非接触型ＩＣカードアプリケーションを起動することができる。
【００１６】
一方、非接触型ＩＣカード使用許可リストに該当する加入者番号が登録されていない場合、携帯電話制御部１０５は非接触型ＩＣカード機能部１０６に対して、非接触型ＩＣカード使用不許可を指示する。それに対し、非接触型ＩＣカード機能部１０６は、非接触型ＩＣカードアプリケーションを停止設定する（ステップＳ９）。これにより、第三者は非接触型ＩＣカード機能部１０６を一切利用することができない。
【００１７】
なお、非接触型ＩＣカード使用許可リストは、非接触型ＩＣカード機能を搭載の携帯電話端末購入時に限って携帯電話端末１００内の記憶部１０３に登録される。例えば予め登録しておいた電話番号に対する通話代を大幅に割り引きするサービスを利用する際に電話番号を登録するのと同じような方式で、購入時に非接触型ＩＣカードの使用を許可する第三者を指定するようにしてもよい。
または、携帯電話端末１００に非接触型ＩＣカード使用許可リストを編集する機能を設け、購入後に、利用者が非接触型ＩＣカード使用許可リストの登録加入者番号を適宜変更できるようにしてもよい。
【００１８】
以上述べた実施の形態例によれば、非接触型ＩＣカード機能を搭載し、加入者情報カードを挿入して利用可能な携帯電話端末において、携帯電話端末所有者の加入者情報カードを抜いて第三者に携帯電話端末を貸した場合、非接触型ＩＣカード使用許可リストに予め登録された第三者でなければ、携帯電話端末所有者が使用している非接触型ＩＣカード機能を利用することができない。したがって、セキュリティが向上するという効果がある。
【００１９】
ここで上述実施の形態例の変形例として、携帯電話端末１００の本体電源が断、すなわち携帯電話制御部１０５の電源がオフのときを考える。
例えばこの状態で非接触型ＩＣカード機能部１０６がリーダ・ライタからの無線電波を受信した場合、非接触型ＩＣカード機能部１０６は携帯電話制御部１０５の電源をオンするとともに、ステップＳ２の処理と同様に非接触型ＩＣカード使用許可／使用不許可の指示待ち状態となる。そして、携帯電話制御部１０５は、ステップＳ３の処理と同じように加入者情報カード１２０に対して加入者番号読み込み要求を行なう（ステップＳ２に相当）。その後の処理は、図３のステップＳ３〜ステップＳ９の処理と同様である。
このように携帯電話端末１００の電源が入っていなくても、上述した携帯電話端末１００の電源投入時と同様の動作が行われ、非接触型ＩＣカード機能を使用する際に逐一携帯電話端末１００の電源を投入する手間が省ける。
【００２０】
さらに、上述実施の形態例の他の変形例を述べる。
携帯電話端末１００の本体電源オフ、すなわち携帯電話制御部１０５の電源がオフ状態のときに、非接触型ＩＣカード機能部１０６がリーダ・ライタからの無線電波を受信した場合、非接触型ＩＣカード機能部１０６が携帯電話制御部１０５を経由せず、直接加入者情報カード１２０へ加入者番号読み込み要求を行なうようにする。そして、非接触型ＩＣカード機能部１０６が加入者情報カード１２０から加入者番号を直接受け取り（ステップＳ４に相当）、その後のステップＳ５〜ステップＳ９の処理は、全て非接触型ＩＣカード機能部１０６が行なう。
この場合、非接触型ＩＣカード機能部１０６と加入者情報カード１２０が加入者番号を直接やり取りするので、非接触型ＩＣカード機能の使用許可又は不許可が判定されるまでの時間が短縮される。また、携帯電話端末１００本体が壊れた場合でも、非接触型ＩＣカード機能部１０６だけで動作することができる。
【００２１】
なお、図３に示したステップＳ９の処理後に、暗証番号や所定のキー操作などの暗証情報によって非接触型ＩＣカードアプリケーションの停止設定（ロック）を解除できるようにしてもよい。つまり、非接触型ＩＣカード使用許可リストに登録されていない加入者情報カードを使用する第三者が、キー操作により暗証情報を入力することによってロックを解除できるようにする。この場合の暗証番号は、携帯電話端末所有者が適宜変更できることが好ましい。
【００２２】
例えば、父親名義で購入した携帯電話端末を子供に与え、普段は非接触型ＩＣカードアプリケーションを使用できないが、何か必要性があるときや緊急時には父親本人から直接暗証番号を教えてもらうことでロックを解除して非接触型ＩＣカードアプリケーションを使用できるなどの利用形態が考えられる。
このような使用形態とした場合、必要に応じて非接触型ＩＣカードアプリケーションの使用許可を選択的に与えることができる。
【００２３】
なお、本発明は、上述した各実施の形態例に限定されるものではなく、その他本発明の要旨を逸脱しない範囲において、種々の変形、変更が可能であることは勿論である。
【図面の簡単な説明】
【００２４】
【図１】本発明の一実施の形態例に係る形態電話端末の回路構成を示すブロック図である。
【図２】本発明の一実施の形態例に係る加入者情報カードの回路構成を示すブロック図である。
【図３】本発明の一実施の形態例に係る機能ロック動作のシーケンス図である。
【符号の説明】
【００２５】
１００…携帯電話端末、１０３…記憶部、１０５…携帯電話制御部、１０６…非接触型ＩＣカード機能部、１０７…加入者情報カードＩ／Ｆ、１２０…加入者情報カード、１２１…入出力部、１２２…記憶部、１２３…制御部
【図１】
2006319438.tif 000003
【図２】
2006319438.tif 000004
【図３】
2006319438.tif 000005